(57)【要約】【課題】建築部材、特にルーバーなどの取付角度を３度、４度又は５度間隔などで調整できる建築用角度調整取付部材を提供する。【解決手段】円周に沿って一定間隔で複数の係止部２ｃを形成した固定部材２と、前記円周と略同一半径上に前記係止部２ｃとは相違する一定間隔で複数の対向係止部３ｃを形成した連結部材３と、係止部２ｃ及び対向係止部３ｃを係止できる係合部７ａを有する固定具４とを備えた建築用角度調整取付部材１とする。【選択図】  図１
2005220608.tif 000002
【特許請求の範囲】
【請求項１】
円周に沿って一定間隔で複数の係止部を形成した固定部材と、前記円周と略同一半径上に前記係止部とは相違する一定間隔で複数の対向係止部を形成した連結部材と、係止部及び対向係止部を係止できる係合部を有する固定具とを備えた建築用角度調整取付部材。
【請求項２】
円周に沿って一定間隔で複数の係止部を設けて固定部材を形成し、前記円周と略同一半径上に前記係止部とは相違する一定間隔で複数の対向係止部を設けて連結部材を形成し、上記係止部と対向係止部とは、両部材を相対時に回転したとき、一定間隔ごとにいずれかの係止部と対向係止部とが合致するように設定し、この合致した係止部と対向係止部とに係止できる係合部を有する固定具を具備してなる建築用角度調整取付部材。
【請求項３】
円周に沿って一定間隔で複数の係止部を形成した固定部材と、前記円周と略同一半径上に前記係止部とは相違する一定間隔で複数の対向係止部を形成した連結部材と、係止部及び対向係止部を係止できる係合部を有する固定具とを備えたルーバー取付部材。
【請求項４】
円周に沿って一定間隔で複数の係止部を設けて固定部材を形成し、前記円周と略同一半径上に前記係止部とは相違する一定間隔で複数の対向係止部を設けて連結部材を形成し、上記係止部と対向係止部とは、両部材を相対時に回転したとき、一定間隔ごとにいずれかの係止部と対向係止部とが合致するように設定し、この合致した係止部と対向係止部とに係止できる係合部を有する固定具を具備してなるルーバー取付部材。
【請求項５】
固定部材を、略Ｌ字形折曲板材の一片の略中央に連結孔を設け、連結孔を中心とした円周上に孔又は切欠き状の係止部を設けた部材とし、連結部材を、略Ｌ字形折曲板材の一片の略中央に対向連結孔を設け、対向連結孔を中心とした円周上に孔又は切欠き状の対向係止部を設けた部材とし、固定具を、連結孔及び対向連結孔に挿通して固定部材及び連結部材を連結固定できる締結部材と、略円形板部の外周部から突設した係合部を有する介装部材とを備えた構成としたことを特徴とする請求項３又は４に記載のルーバー取付部材。
【発明の詳細な説明】
【技術分野】
【０００１】
本発明は、建築用部材であって、角度調整が可能な取付部材に関し、例えば、目隠し、日除けなどのため、建物その他の構造物の外壁などに設置するルーバー材を取り付けるルーバー取付部材に関する。
【背景技術】
【０００２】
建物の外壁など、特に窓枠の外側には、陽射しを遮るためや目隠しをするためなどに水平方向に渡したルーバー等を設置している場合がある。
これらルーバーの中には、下記特許文献１に示すように、機械式でルーバー材の角度を可変とし、利便性を高めたものがある。
【０００３】
【特許文献１】特開２００１−３２６４６号公報
【発明の開示】
【発明が解決しようとする課題】
【０００４】
ルーバーは、屋上などに設置された冷房用室外機などを隠すために使用されたり、通路側の窓などに使用されたりすることもある。このような場所に設置された場合、ルーバー材の角度を可変とする必要性に乏しく、所定の角度をもって取り付けておけば十分であった。また、機械式のルーバーとすると構造が複雑となり、コスト的にも高く、また部品数も多くなるため重量的にも重くなるという問題が生じていた。
【０００５】
本発明は、上記課題に鑑み、構造的に簡易で、ルーバー材やその他建築部材の取付角度を３度、４度又は５度間隔など予め決められた所定の角度で調整できる建築用角度調整取付部材を提供する。
【課題を解決するための手段】
【０００６】
本発明の建築用角度調整取付部材は、円周に沿って一定間隔で複数の係止部を形成した固定部材と、前記円周と略同一半径上に前記係止部とは相違する一定間隔で複数の対向係止部を形成した連結部材と、係止部及び対向係止部を係止できる係合部を有する固定具とを備えた構成を特徴とし、円周に沿って一定間隔で複数の係止部を設けて固定部材を形成し、前記円周と略同一半径上に前記係止部とは相違する一定間隔で複数の対向係止部を設けて連結部材を形成し、上記係止部と対向係止部とは、両部材を相対時に回転したとき、一定間隔ごとにいずれかの係止部と対向係止部とが合致するように設定し、この合致した係止部と対向係止部とに係止できる係合部を有する固定具を具備した構成とすることができる。
建築用角度調整取付部材は、ルーバーを取り付けるルーバー取付部材とすることができ、固定部材を、略Ｌ字形折曲板材の一片の略中央に連結孔を設け、連結孔を中心とした円周上に孔又は切欠き状の係止部を設けた部材とし、連結部材を、略Ｌ字形折曲板材の一片の略中央に対向連結孔を設け、対向連結孔を中心とした円周上に孔又は切欠き状の対向係止部を設けた部材とし、固定具を、連結孔及び対向連結孔に挿通して固定部材及び連結部材を連結固定できる締結部材と、略円形板部の外周部から突設した係合部を有する介装部材とを備えた構成とすることができる。
【発明の効果】
【０００７】
本発明の建築用角度調整取付部材は、係止部と対向係止部との配置間隔を相違させたことにより、建築部材の取付角度を３度、４度又は５度間隔など予め決められた所定の角度で調整可能なものとすることができる。
【発明を実施するための最良の形態】
【０００８】
以下、本発明の実施形態を図面を用いて説明する。
図１は本発明をルーバー取付部材とした場合の第一実施形態の分解斜視図、図２は図1の固定部材及び連結部材の正面図である。
【０００９】
本発明の第一実施形態のルーバー取付部材１は、固定部材２、連結部材３とこれらを連結固定する固定具４を主な構成として備えている。
固定部材２は、断面Ｌ字形に折曲した板材であり、一片２ａの開放端部を略円弧状に形成してある。
一片２ａには、略中央に連結孔２ｂが穿設してあり、さらに、連結孔２ａを中心とした所定半径の円周に沿って所定間隔で略矩形の孔又は切欠き状の係止部２ｃ，２ｃ・・が適宜数配設してある。本実施形態では、係止部２ｃは、連結孔２ｂを中心として３０度間隔で上方側及び下方側にそれぞれ上下対称的に５箇所配設してある。この上下方向は他片２ｄを横側方とした状態である。また、本実施形態では、上方側及び下方側に係止部２ｃを設けてあるが、全周に渡り配設したり、上方側のみ、下方側のみに配設したりしてもよい。係止部２ｃを配設する所定半径は、ルーバー材１０の大きさ、重量に合わせた適宜半径とすることができる。
他片２ｄには、略中央に固着孔２ｅが穿設してあり、ボルト５などを挿通して建物などの躯体に締結固定できる。
【００１０】
連結部材３は、断面Ｌ字形に折曲した板材であり、一片３ａの開放端部を略円弧状に形成してある。
一片３ａには、略中央に対向連結孔３ｂが穿設してあり、対向連結孔３ｂ及び前記連結孔２ｂに固定具４の軸部６ａを挿通して、固定部材２と連結部材３とを連結固定できる。対向連結孔３ｂを中心とした円周に沿って所定間隔で略矩形の孔又は切欠き状の対向係止部３ｃ，３ｃ・・が適宜数配設してある。対向係止部３ｃを配設する半径は、前記係止部２ｃを配設した半径と略同一半径とし、固定具４の係合部７ａにより係止部２ｃとともに係止できるように形成されている。本実施形態では、対向係止部３ｃは、連結孔３ｂを中心として２５度間隔で上下対称的に上方側及び下方側にそれぞれ６箇所配設してある。
【００１１】
上記係止部２ｃと対向係止部３ｃとは、固定部材２及び連結部材３を相対させ回転したときに所定間隔ごとにいずれかの係止部２ｃと対向係止部３ｃとが合致するように設定する。
本発明ではこのように、係止部２ｃ，２ｃ・・の配置間隔と対向係止部３ｃ，３ｃ・・の配置間隔とは、相違させて配設するようにする。第一実施形態では、係止部２ｃを３０度間隔で配設し、対向係止部３ｃを２５度間隔で配設し、両間隔を５度ずらして形成しているが、これに限定するものではない。例えば、係止部２ｃを２８度間隔、対向係止部３ｃを２４度間隔として両間隔を４度で配設したり、係止部２ｃを３０度間隔、係止部３ｃを２７度間隔として両間隔を３度で配設したりすることができる。また、本実施形態では、上方側及び下方側に対向係止部３ｃを配設しているが、係止部２ｃの位置に合わせた適宜位置に配設するようにする。上方側及び下方側又は全周に渡って配設すると、同一部材をルーバー材の左右両端の取り付けに使用することができる。
他片３ｄには、略中央に取付孔３ｅが穿設してあり、ボルト５などを挿通してルーバー材１０に締結固定することができる。
【００１２】
固定具４は、締結部材６と、係合部７ａを有する介装部材７とを備えている。
締結部材６は、ボルトであり、軸部６ａを連結孔２ｂと対向連結孔３ｂとに挿通して、ナット８などにより締結し、固定部材２及び連結部材３を連結固定できる。締結部材６は、市販品を使用することができる。また、円柱状の棒材の表面にねじ部を設け両側からナットにより締結する構成としてもよい。
介装部材７は、略円形板材であり、係止部２ｃを配設した半径と略同一の半径の円形状の略円形板部とし、固定部材２及び連結部材３を連結固定する際、締結部材６の頭部６ｂと固定部材２又は連結部材３との間に介装させるものである。略中央には、孔を穿設し、締結部材６の軸部６ａを挿通できる。外周部には、垂直方向に若干長さ突設した係合部７ａを設け、合致した係止部２ｃと対向係止部３ｃとに係止できるように形成してある。
【００１３】
以下、ルーバー取付部材１の取付方法の一例を説明する。
固定部材２の固着孔２ｅにボルト５を挿通し、固定部材２を建物などの躯体面上に締結固定し、連結部材３の取付孔３ｅにボルト５を挿通し、連結部材３をルーバー材１０に締結固定する。
固定部材２の他片２ｄと連結部材３の他片３ｄとが対面となるように配し、固定部材２の一片２ａと連結部材３の一片３ａとを面接させつつ、ルーバー材１０を適宜角度に合わせる。締結部材６の軸部６ａを固定部材２側から介装部材７を介装させ、連結孔２ｂと対向連結孔３ｂとに挿通する。この際、図３（Ａ）〜（Ｈ）に示すように、係止部２ｃと対向係止部３ｃとが合致する箇所Ｘ（図では黒塗りした部分）の一に係合部７ａを係止させる。連結部材３側からワッシャー９を介装させ、ナット８を締結し、固定部材２と連結部材３とを連結固定できる。
本実施形態では、図３（Ａ）〜（Ｈ）に示すように、５度間隔で、係止部２ｃと対向係止部３ｃとが合致する箇所Ｘが現れるので、この箇所を係合部７ａで係止することにより、ルーバー材１０を角度可変して取り付けることができる。もちろん、逆方向へも角度可変して取り付けることができる。
上記実施形態では５度単位でルーバー材の取付角度を変えることができるが、係止部２ｃを２８度間隔、対向係止部３ｃを２４度間隔で配設した場合は、４度単位でルーバー材の取付角度を変えることができ、係止部２ｃを３０度間隔、係止部３ｃを２７度間隔で配設した場合は、３度単位でルーバー材の取付角度を変えることができる。
【００１４】
建物の躯体面が傾斜面であれば、ルーバー取付部材１によりルーバー材１０を水平に保って取り付けることができる。例えば、図４（Ａ）に示すように、建物の躯体面が上方開拡状に傾斜している場合は、ルーバー取付部材１を適宜角度に合わせ、躯体面に固着することによりルーバー材１０を水平に保つことができ、同図（Ｂ）に示すように、建物の躯体面が上方窄まり状に傾斜している場合は、ルーバー取付部材１を適宜角度に合わせ、躯体面に固着することによりルーバー材１０を水平に保つことができる。
【００１５】
本発明は、３度、４度又は５度間隔など、微小な角度でルーバー材１０の取付角度を調整でき、係止部２ｃと対向係止部３ｃとが係合部７ａにより係止されているので、ルーバー材１０の端部に荷重がかかってもルーバー材１０が回転することがない。
他の建築部材も同様に取り付け可能である。
【００１６】
次に、本発明の第二実施形態について説明する。
図５は本発明をルーバー取付部材とした場合の第二実施形態の分解斜視図である。
【００１７】
本発明の第二実施形態のルーバー取付部材１１は、円柱状の固定部１２ａを有する固定部材１２と、ルーバー材長手沿いの一側部に円筒状に設けた連結部材１３とを備え、両部材１２，１３を固定具１４で係止するものである。
固定部材１２は、円柱状の固定部１２ａの一端部外周面から半径方向に先端開拡状の板材を延設してあり、その先端を垂直に外折れさせた略矩形の固着面１２ｂを形成した形状としてある。固定部１２ａの一端面の中心には、締結孔１２ｃが穿設してあり、締結部材１５を締結することができる。固定部１２ａの外周面の上方側には、長手方向に伸びた角溝の係止部１２ｄが締結孔１２ｃを中心として所定間隔で適宜数設けてある。本実施形態では、３０度間隔で５箇所設けてある。また、本実施形態では、上方側に係止部１２ｄを設けてあるが、全周に渡り設けたり、上方側及び下方側に対称的に設けたりしてもよい。固定部１２ａの半径は、ルーバー材１０の大きさ、重量に合わせた適宜半径とする。
固着面１２ｂには、上下方向に２箇所の固着孔１２ｅが穿設してあり、ボルト５などを挿通して建物などの躯体に締結固定できる。
【００１８】
連結部材１３は、ルーバー材１０長手沿いの一側部に設けてあり、長手方向に伸びた円筒形状をしており、内孔を固定孔１３ａとしてある。固定孔１３ａは、前記固定部１２ａを挿通できるように形成してあり、その内周面には、半径方向に凹設した角溝の対向係止部１３ｂが所定間隔で適宜数設けてある。対向係止部１３ｂは、介装部材１６の係合部１６ａにより係止部１２ｄとともに係止できるように形成してある。本実施形態では、対向係止部１３ｂは、２５度間隔で上方側乃至前方側に９箇所設けてある。上記係止部１２ｄと対向係止部１３ｂとは、固定部材１２及び連結部材１３を相対させ回転したときに所定間隔ごとにいずれかの係止部１２ｄと対向係止部１３ｂとが合致するように設定する。本発明ではこのように、係止部１２ｄ，１２ｄ・・の間隔と対向係止部１３ｂ，１３ｂ・・の間隔とは、相違させて設けるようにする。本実施形態では、係止部１２ｄを３０度間隔で設け、対向係止部１３ｂを２５度間隔で設け、両間隔を５度ずらしているが、これに限定するものではない。例えば、係止部１２ｄを２８度間隔、対向係止部１３ｂを２４度間隔の４度間隔で設けたり、係止部１２ｄを３０度間隔、対向係止部１３ｂを２７度間隔の３度間隔で設けたりすることができる。また、本実施形態では、上方側乃至前方側に対向係止部１３ｂを設けているが、全周に渡り設けてもよく、係止部１２ｄの位置に合わせた適宜位置に設けるようにする。
【００１９】
固定具１４は、締結部材１５と、係合部１６ａを有する介装部材１６とを備えている。
締結部材１５は、ボルトであり、締結孔１２ｃに締結して、介装部材１６を固定できる。締結部材１５は、市販品を使用することができる。
介装部材１６は、略円形板材であり、固定部１２ａの半径と略同一の半径の円形状の略円形板部としてある。略中央には、孔を穿設し、締結部材１５の軸部１５ａを挿通できる。外周部には、面上から垂直方向へ適宜長さに延設した係合部１６ａを設け、合致した係止部１２ｄと対向係止部１３ｂとに係止できるように形成してある。本実施形態では、固定部１２ａの長さと略同一の長さとしてある。
【００２０】
以下、ルーバー取付部材１１の取付方法の一例を説明する。
連結部材１３の固定孔１３ａを固定部材１２の固定部１２ａに挿通させ、ルーバー材１０が適宜角度となるように合わせる。介装部材１６の係合部１６ａを、図６（Ａ）〜（Ｇ）に示すように、係止部１２ｄと対向係止部１３ｂとが合致する箇所Ｙ（図では黒塗りした部分）に係止させる。締結部材１５の軸部１５ａを介装部材１６の孔に挿通し、締結孔１２ｃに締結して、固定部材２及び連結部材３を連結固定できる。
固定部材１２の固着孔１２ｅにボルト５を挿通し、固定部材１２を建物などの躯体面上に締結固定して取り付けることができる。
本実施形態では、図６（Ａ）〜（Ｇ）に示すように、５度間隔で、係止部１２ｄと対向係止部１３ｂとが合致する箇所Ｙが現れるので、この箇所を係合部１６ａで係止することにより、ルーバー材１０を角度可変に取り付けることができる。逆方向へも角度可変に取り付けることができ、全周に渡り係止部１２ｄ及び対向係止部１３ｂを設ければ、さらに広範囲に渡りルーバー材１０の取付角度を変更できる。
上記実施形態では５度単位でルーバー材１０の取付角度を変えることができるが、係止部１２ｄを２８度間隔、対向係止部１３ｂを２４度間隔で設けた場合は４度単位でルーバー材の取付角度を変えることができ、係止部１２ｄを３０度間隔、係止部１３ｂを２７度間隔で設けた場合は３度単位でルーバー材１０の取付角度で変えることができる。
【００２１】
本実施形態では、係止部１２ｄ及び対向係止部１３ｂは角溝としてあるが、丸溝、三角溝などの他形状とすることも可能である。この場合は、係合部１６ａも係止部１２ｄ及び対向係止部１３ｄに合わせた形状とする。
【００２２】
建物の躯体面が傾斜面であれば、ルーバー取付部材１１によりルーバー材１０を水平に保って取り付けることができる。
【００２３】
本発明は、３度、４度又は５度間隔など、微小な角度でルーバー材１０の取付角度を調整でき、係止部１２ｄと対向係止部１３ｂとが係合部１６ａにより係止されているので、ルーバー材１０の端部に荷重がかかってもルーバー材１０が回転することがない。
【図面の簡単な説明】
【００２４】
【図１】本発明のルーバー取付部材の第一実施形態の分解斜視図である。
【図２】図1の固定部材及び連結部材の正面図である。
【図３】（Ａ）〜（Ｈ）は図１の係止部及び対向係止部の合致する箇所を示した正面図である。
【図４】図１のルーバー取付部材の取り付け状態を示した側断面図である。
【図５】本発明のルーバー取付部材の第二実施形態の分解斜視図である。
【図６】（Ａ）〜（Ｇ）は図５の係止部及び対向係止部の合致する箇所を示した正面図である。
【符号の説明】
【００２５】
１…ルーバー取付部材  ２…固定部材  ２ａ…一片  ２ｂ…連結孔  ２ｃ…係止部
２ｄ…他片  ２ｅ…固着孔  ３…連結部材  ３ａ…一片  ３ｂ…対向連結孔
３ｃ…対向係止部  ３ｄ…他片  ３ｅ…取付孔  ４…固定具  ５…ボルト
６…締結部材  ６ａ…軸部  ６ｂ…頭部  ７…介装部材  ７ａ…係合部  ８…ナット
９…ワッシャー  １０…ルーバー材  １１…ルーバー取付部材  １２…固定部材
１２ａ…固定部  １２ｂ…固着面  １２ｃ…締結孔  １２ｄ…係止部
１２ｅ…固着孔  １３…連結部材  １３ａ…固定孔  １３ｂ…対向係止部
１４…固定具  １５…締結部材  １５ａ…軸部  １６…介装部材  １６ａ…係合部
【図１】
2005220608.tif 000003
【図２】
2005220608.tif 000004
【図３】
2005220608.tif 000005
【図４】
2005220608.tif 000006
【図５】
2005220608.tif 000007
【図６】
2005220608.tif 000008